(57)【要約】【課題】難聴者の使用する補聴器であって、自己の発声は必要以上に聞こえる事は無く、周囲の音声の方向感覚が得やすく、また音量の調整、電池交換などの操作性も容易であって、機器を装着して通常動作時に負担を発生させない補聴器の提供することを目的とする。【解決手段】本発明の補聴器は、本体部と左右用２個のイヤホン部から成り、本体部には、電源スイッチと、左右用２個のイヤホンジャックと、左右独立した音声調整用ボリュームと、単三または単四電池を着脱自在に収納するバッテリ収納部と、左右用２個のマイクと、信号増幅手段とを備え、イヤホン部は、イヤホンとコードとプラグから成り、左右用２個のマイクは各々本体両端に配され、本体右端の右マイクから拾った音声は、右のイヤホン部から出力し、本体左端の左マイクから拾った音声は、左のイヤホン部から出力する事を特徴とする補聴器を構成する。【選択図】図１
2009290383.tif 000002
【特許請求の範囲】
【請求項１】
本体部と左右用２個のイヤホン部から成り、本体部には、電源スイッチと、左右用２個のイヤホンジャックと、左右独立した音声調整用ボリュームと、単三または単四電池を着脱自在に収納するバッテリ収納部と、左右用２個のマイクと、信号増幅手段とを備え、イヤホン部は、イヤホンとコードとプラグから成り、左右用２個のマイクは各々本体両端に配され、本体右端の右マイクから拾った音声は、右のイヤホン部から出力し、本体左端の左マイクから拾った音声は、左のイヤホン部から出力する事を特徴とする補聴器。
【請求項２】
前記本体部に、首後ろ付近の服の襟部に本体部を固定する一ヶ所以上の固定手段を備えたことを特徴とする請求項１に記載の補聴器。
【発明の詳細な説明】
【技術分野】
【０００１】
本発明は、補聴器に関し、特に本体部とイヤホン部を備えた形態の補聴器に関するものである。
【背景技術】
【０００２】
近年各種の補聴器が開発されており、増幅回路や電池を収納した本体ユニットとイヤホン部を備えた形態のものや、増幅回路や電池がイヤホン部と同一ユニット内に収納され、これを耳に装着する非常に小型のものなどが知られている。
【０００３】
前記、増幅回路や電池を収納したユニットとイヤホン部を備えたものは、箱型と呼ばれている。また、増幅回路や電池がイヤホン部と同一ユニット内に収納され、これを耳ぶたに掛けるものは耳掛け型と呼ばれている。更に小型化し耳の穴にすっぽりと入れてしまうものは耳穴型と呼ばれている。
【０００４】
前記三つのタイプに対しても、各々長所短所がある。箱型の長所は、本体ユニットが大きいので、高齢者・幼少児でもボリュームの操作や電池の入れ替えなどの操作がしやすい。小スペースにパーツを詰め込む必要が無い分堅牢で、機器の性能は上げやすく、高度の難聴者の要求にも応えやすい。マイクとイヤホン間の距離をとりやすくハウリングを起こしにくい。ユニットが大きいので紛失しにくい。比較的安価で、電池寿命も長い。などがある。
【０００５】
箱型の欠点は、外見上目立ち、補聴器をしているのが一目瞭然。激しい運動・スポーツなどをする場合は、本体が動いてしまったり、コードが邪魔になったりして不便。ポケットの中に本体を入れた場合など、布ずれの音が大きく聞こえてしまう。本体を胸ポケットに入れて使う事が多く、高周波数の音が衣服に吸収されてしまい、低周波数の音が強調されて聞こえる傾向にある。両耳装用での方向感覚は得にくい。本体を胸ポケットに入れたとき使用者の声自体も拾い、自分の声が喧しく聞こえる場合がある。などがある。
【０００６】
耳掛け型の利点は、箱型に比べ、外観上分かりにくく、運動をした場合などでもあまり邪魔にならない。機器は箱型の次に大きめなので紛失しにくく、また高齢者・幼少児でも操作がしやすい。マイクが耳の近くにあるので音が自然に聞こえる。両耳装用での方向感覚は得やすい。近年では性能が向上しており、機器の性能も上がってきているので、高度難聴者にも充分な性能の物が増えている。などがある。
【０００７】
耳掛け型の欠点は、ハウリングが起こりやすい。夏場は汗の影響で耳が蒸れやすく、汗が機器のすき間から内部に湿潤して機械が故障する場合がある。汗カバーを付けたり、防水を堅牢にする必要がある。冬場は外気と体温で暖まった機器との温度差で、導管チューブ内に結露が生じる事がある。などがある。
【０００８】
耳穴型の利点は、何と言っても目立たない。マイクが耳の穴にあるので、耳介の集音効果も期待でき、音が自然に聞こえる。両耳装用の効果が出やすい。行動しやすい。夏場の汗による故障は耳掛け型よりも少なくて済む。などがある。
【０００９】
耳穴型の欠点は、小さいだけに、スイッチを入れたり電池を入れ替えたりといった操作が高齢者には難しい。また紛失しやすい、落として壊したりしやすいといった欠点もある。小さいという事から必然的に、マイク部分とスピーカー部分が接近しているので、そのままではハウリングを起こしやすい。中に入っている心臓部も小型の物が求められる関係で、耳掛け型などに比べて出力が低くなる。などがある。
【発明の開示】
【発明が解決しようとする課題】
【００１０】
難聴者の使用する補聴器であって、自己の発声は必要以上に聞こえる事は無く、周囲の音声の方向感覚が得やすく、また音量の調整、電池交換などの操作性も容易であって、機器を装着して通常動作時に負担を発生させない補聴器の提供することを目的とする。
【課題を解決するための手段】
【００１１】
本発明の補聴器は、本体部と左右用２個のイヤホン部から成り、本体部には、電源スイッチと、左右用２個のイヤホンジャックと、左右独立した音声調整用ボリュームと、単三または単四電池を着脱自在に収納するバッテリ収納部と、左右用２個のマイクと、信号増幅手段とを備え、イヤホン部は、イヤホンとコードとプラグから成り、左右用２個のマイクは各々本体両端に配され、本体右端の右マイクから拾った音声は、右のイヤホン部から出力し、本体左端の左マイクから拾った音声は、左のイヤホン部から出力する事を特徴とする補聴器を構成する。
【００１２】
また、本体部は使用者の首周囲付近に配する為、使用者の服の襟部に本体部を固定する固定手段を備えるように構成することが望ましい。
【発明の効果】
【００１３】
本発明の補聴器は、首の後ろに配することで、使用者自身の声を本体マイクから拾うことを避けることができ、また、右の音は本体右側面から、左の音は本体左側面から拾い、各々のイヤホンに出力することで、方向感覚の得やすく、マイクが耳の近くにあるので音が自然に聞こえることなど、耳掛け型、耳穴型の利点も備えることができた。本体部を使用者の首の後ろに配することは本体からイヤホンへの線材の長さも従来の胸ポケットに収める箱型に比べ短く設定でき、外見上目立ちにくくすることができた。
【発明を実施するための最良の形態】
【００１４】
補聴器本体部を安定的に使用者の首付近に配する為、本体にはクリップ状の固定手段を備える構成とする事が望ましい。
【実施例１】
【００１５】
以下、本発明の実施例について詳しく説明する。本実施例で説明する形状は、これを限定する物ではない。
【００１６】
図１は、本発明の補聴器の斜視図である。１はイヤホンを示し、２はコード、３はプラグ、４は本体部、５は電源スチッチ、７はバッテリカバー、８はクリッププレート、９はクリップ部、１２は右用音声調整ボリューム、２２は左側音声調整ボリューム、２３は左用マイク穴である。この時、本体左側面に配した左用マイク穴２３の奥には、左用マイクが具備されていて、反対側の本体右側面には、右用マイク穴、右用マイクが具備されている。
【００１７】
本体部４は、図１の状態で使用者の洋服の襟部に固定し本体部４からのびたイヤホン１を使用者の頭の後ろから回し込むように耳穴に差し込み使用する。
【００１８】
図２は、補聴器本体部４の斜視図である。４は本体部を示し、５は電源スチッチ、７はバッテリカバー、８はクリッププレート、９はクリップ部、１２は右用音声調整ボリューム、２１は左用イヤホンジャック、２２は左側音声調整ボリューム、２３は左用マイク穴である。
【００１９】
図３は、補聴器本体部４からバッテリカバー７を外した状態の斜視図である。４は本体部を示し、５は電源スチッチ、６はバッテリ収納部、３１は単四電池である。電池は単四電池に限る物ではなく、電池交換の作業性から単三電池を使用する場合もある。しかし本体重量を軽くし、電池交換性を考慮した場合は、単四電池が望ましい。バッテリカバー７は、本体部４に対し、着脱自在に係合するように構成されている。図３では、バッテリカバー７を外した時単三電池の大部分が見え、電池の交換性が高くなるように構成されている。
【００２０】
図４は、クリップ部方向から見た斜視図である。
【００２１】
図５は、図４に対しクリッププレート８を押し、クリップ部が持ち上がった状態の斜視図である。図ではクリッププレート８を押す事により、クリップ部９が洗濯バサミのように先端部を開けた状態となっている状態を示している。クリップ部９の先端が開いた部分に衣料などを挟んで、プレート８を放す事により、クリップ部９と本体部４の間に衣料を挟み込み、衣類に対し、本体部を安定させる構成となっている。
【００２２】
図５では、本体の固定機構として、洗濯バサミの様な挟み込みタイプを示したが、首後ろ付近の服の襟部に本体部を固定する手段はこれに限る物ではなく、万年筆の様な引っ掛けタイプ、蝶ネクタイの様なバンド部とその止め金具を持つタイプ、などが有り、材料もプラスチックの弾性変形を利用した物、板バネ、ひげバネなどのバネ材を使用する物、繊維と伸縮自在なゴムバンドの組み合わせとその金具、などを使用することもある。
【００２３】
このとき、本体に対する右側方向からの音声は、右側のマイクにて拾われ、本体左側からの音声は、左側のマイクから拾われる。
【産業上の利用可能性】
【００２４】
本発明の補聴器は、高齢者の難聴時に使用される補聴器において、箱型の音量の調整、電池交換などの操作性を維持しつつ、補聴器を装着しても通常動作時に負担を発生させることなく、両耳装用での方向感覚が得やすい補聴器として利用できる。
【図面の簡単な説明】
【００２５】
【図１】本発明の補聴器の斜視図である。
【図２】補聴器本体部４の斜視図である。
【図３】補聴器本体部４からバッテリカバー７を外した状態の斜視図である。
【図４】クリップ部方向から見た斜視図である。
【図５】図４に対し、に対しクリッププレート８を押し、クリップ部が持ち上がった状態の斜視図である。
【符号の説明】
【００２６】
１    イヤホン
２    コード
３    プラグ
４    本体部
５    電源スイッチ
６    バッテリ収納部
７    バッテリカバー
８    クリッププレート
９    クリップ部
１１  右用イヤホンジャック
１２  右用音声調整ボリューム
１３  右用マイク穴
２１  左用イヤホンジャック
２２  左用音声調整ボリューム
２３  左用マイク穴
３１  単三電池
【図１】
2009290383.tif 000003
【図２】
2009290383.tif 000004
【図３】
2009290383.tif 000005
【図４】
2009290383.tif 000006
【図５】
2009290383.tif 000007